(57)【特許請求の範囲】
【請求項１】
外部から供給される、記録パワーに関する情報と、ストラテジ情報と、複数種類の光ディスクのそれぞれに対して１倍速から高倍速に至る間の少なくとも一の倍速に対応づけたオーバーシュート波形に関する情報との組み合わせに基づいて生成されたレーザ駆動信号をレーザ発光素子に供給して、前記複数種類の光ディスクのそれぞれに対して倍速記録を可能とするレーザ発光素子駆動制御回路であって、
前記レーザ発光素子に供給される前記レーザ駆動信号のストラテジ波形を整形するスナバ回路を備え、
前記スナバ回路は、抵抗とコンデンサとが直列に接続され、前記抵抗の抵抗値がそれぞれ異なり、前記コンデンサの容量値がそれぞれ異なる複数のＲＣ直列回路と、前記複数のＲＣ直列回路を前記組み合わせに基づいて切り替える切替手段と、を備え、
前記複数のＲＣ直列回路は、前記レーザ発光素子に対して前記切替手段を介してそれぞれ並列に接続されていることを特徴とするレーザ発光素子駆動制御回路。
【請求項２】
複数種類の光ディスクのそれぞれに対して１倍速から高倍速に至る間の少なくとも一の倍速を用いて最適記録が可能な光ディスク装置であって、
前記光ディスクに向けてレーザ光を出射するレーザ発光素子、前記レーザ発光素子にレーザ駆動信号を供給する駆動回路、前記レーザ発光素子と前記駆動回路との間に接続され、前記レーザ発光素子に供給される前記レーザ駆動信号のストラテジ波形を整形するスナバ回路、及び前記光ディスクからの戻り光を受光して再生信号を生成する受光素子を有する光ピックアップと、
前記再生信号に基づいて前記光ディスクの種類を判別し、かつ予め設定されている１倍速から高倍速に至る間の一の倍速を判別し、判別した倍速に係る記録パワー情報、判別した倍速に係るストラテジ情報、及び判別した光ディスクの種類及び倍速に係るオーバーシュート波形情報を、前記駆動回路へ出力する信号制御部と、
を備え、
前記駆動回路は、前記記録パワー情報、前記ストラテジ情報、及び前記オーバーシュート波形情報の組み合わせに基づいて前記レーザ駆動信号及び制御信号を生成し、
前記スナバ回路は、抵抗とコンデンサとが直列に接続され、前記抵抗の抵抗値がそれぞれ異なり、前記コンデンサの容量値がそれぞれ異なる複数のＲＣ直列回路と、前記複数のＲＣ直列回路を前記制御信号に基づいて切り替える切替手段と、を備え、
前記複数のＲＣ直列回路は、前記レーザ発光素子に対して前記切替手段を介してそれぞれ並列に接続されていることを特徴とする光ディスク装置。
【請求項３】
外部から供給される、記録パワーに関する情報と、ストラテジ情報と、複数種類の光ディスクのそれぞれに対して１倍速から高倍速に至る間の少なくとも一の倍速に対応づけたオーバーシュート波形に関する情報との組み合わせに基づいて生成されたレーザ駆動信号をレーザ発光素子に供給して、前記複数種類の光ディスクのそれぞれに対して最適な倍速記録を可能とするレーザ発光素子駆動制御方法であって、
前記組み合わせに基づいて前記レーザ駆動信号及び制御信号を生成するステップと、
前記制御信号に基づいて、抵抗とコンデンサとが直列に接続され、前記抵抗の抵抗値がそれぞれ異なり、前記コンデンサの容量値がそれぞれ異なる複数のＲＣ直列回路から一のＲＣ直列回路を選択するステップと、
前記選択されたＲＣ直列回路で前記レーザ駆動信号のストラテジ波形を整形するステップと、
前記整形されたストラテジ波形を有するレーザ駆動信号を前記レーザ発光素子に供給するステップと、
を有することを特徴とするレーザ発光素子駆動制御方法。
【発明の詳細な説明】
【技術分野】
【０００１】
本発明は、複数種類の光デイスクに対して１倍速から高倍速に至る複数の倍速のうちから択一した倍速に最適な記録を可能とするべく、記録パワーに関する情報と、ストラテジ情報と、複数種類の光ディスクのそれぞれに対して１倍速から高倍速に至る間の少なくとも１の倍速に対応づけたオーバーシュート波形に関する情報との組み合わせに基づいて生成したレーザ駆動信号をレーザ発光素子に供給して、複数種類の光ディスクのそれぞれに対して最適な倍速記録を可能とするレーザ発光素子駆動制御回路、光ディスク装置、レーザ発光素子駆動制御方法に関する。
【背景技術】
【０００２】
従来では、光ディスクの記録時において、レーザ駆動信号であるパルス信号列でレーザ発光素子を発光させると、レーザ駆動信号出力回路の出力端からレーザ発光素子に至る回路線路上に生じる寄生インダクタンスと浮遊容量成分によりレーザ駆動信号波形の立ち上がり時にオーバーシュートやリンギングが発生するため、この回路線路に接続するスナバ回路により寄生インダクタンスと浮遊容量成分により発生する高周波成分を効果的に抑制吸収する対策が講じられている。
【０００３】
このような対策が講じられた発明としては、例えば特許文献１に開示されたものが報告されている。この特許文献１に開示された発明は、光ディスクの記録時に記録領域に対して最適記録を行うためパルストレイン（レーザ駆動信号）によりレーザ発光素子を発光駆動するものの、このパルストレインには高周波成分が含まれ、レーザ発光素子までの配線の寄生インダクタンスによりこのレーザ駆動信号波形の立ち上がり時にオーバーシュートやリンギングが発生し、こうしたレーザ駆動信号をそのまま用いてレーザ発光素子を発光駆動して光ディスクへの記録を行うと、最適な記録がなされないから、記録エラーの原因になるので、この不都合を未然に防止するために、レーザ発光素子と並行にスナバ回路を挿入して寄生インダクタンスと浮遊容量成分を抑制吸収するようにしている。
【特許文献１】特開平１０−３０８０２６号公報
【発明の開示】
【発明が解決しようとする課題】
【０００４】
しかしながら、上記特許文献１に開示された発明では、レーザ発光素子を発光駆動するためのレーザ駆動信号の立ち上がり時に生じる、光ディスクの種類の相違により発生するオーバーシュートの程度の差にそれぞれ応じて、最適なレーザ駆動信号波形の波形整形を行うための対策は何ら講じられておらず、こうした多様な記録形態に拘わらず、全ての場合において単一のスナバ回路で対応するという方式を採用している。
【０００５】
これではこうした多様な記録形態の状況に応じて個別にオーバーシュート波形の調整をする場合には不十分であるという問題があった。
【０００６】
すなわち、上記特許文献１に開示された発明のように、オーバーシュートやリンギングを吸収するスナバ回路を、レーザ駆動信号出力回路の出力端からレーザ発光素子に至る回路線路上に単一に挿入するだけでは、複数種類の光ディスク（ＤＶＤ−Ｒなどの追記型光ディスク、ＤＶＤ−ＲＷ，ＤＶＤ−ＲＡＭなどの繰り返し記録型光ディスク）及び１倍速から高倍速に至る複数の倍速のうちから択一した倍速の組み合わせにそれぞれ対応して最適な記録ができないから、汎用で最適なスナバ回路ではなくなってしまうという問題があった。
【０００７】
スナバ回路は、設定した時定数に応じて前記配線の寄生インダクタンス成分によって生じるオーバーシュートやリンギングを効果的に抑制し低減できる特徴を有しているものの、抑制し吸収したり、或はあえてオーバーシュートを形成したりするレベルは、光ディスクの種類の違いによる記録層（膜）を形成する材質・組成の相違や記録領域の相違、これに伴うレーザ発光素子に供給するパワーの相違、高倍速から低倍速にいたる記録速度の大きな相違などの多様化を全て包含するレベルであることが必須である。そのため、単一のスナバ回路だけでは、こうした多様化、多くの状況に対応するのが困難であるという問題があった。
【０００８】
そこで本発明は、上記した課題に鑑みてなされたものであり、追記型あるいは繰り返し記録型光ディスクの記録層（膜）を形成する材質・組成の相違や記録領域の相違、これに伴うレーザ発光素子に供給するパワーの相違、ストラテジの相違、１倍速から高倍速に至る複数の倍速のうちから択一した倍速の組み合わせに応じて、予めこの記録形態を例えば駆動回路内にセットしておき、このセットしておいた中から、現状必要な記録形態を選択して、選択した記録形態に対応して、レーザ発光素子に供給されるレーザ駆動信号波形の立ち上がり時に発生するオーバーシュート波形（オーバーシュートのピークレベル）を一義的に設定することにより、いずれの記録形態においても高精度で高品質な記録が可能な最適記録を実現することができるレーザ発光素子駆動制御回路、光ディスク装置、レーザ発光素子駆動制御方法を提供することを目的とする。
【課題を解決するための手段】
【０００９】
上記した課題を解決するために、本発明は、下記（１）〜（３）の構成を有するレーザ発光素子駆動制御回路、光ディスク装置、レーザ発光素子駆動制御方法を提供する。
【００１０】
（１）外部から供給される、記録パワーに関する情報と、ストラテジ情報と、複数種類の光ディスクのそれぞれに対して１倍速から高倍速に至る間の少なくとも一の倍速に対応づけたオーバーシュート波形に関する情報との組み合わせに基づいて生成されたレーザ駆動信号をレーザ発光素子に供給して、前記複数種類の光ディスクのそれぞれに対して倍速記録を可能とするレーザ発光素子駆動制御回路であって、
前記レーザ発光素子に供給される前記レーザ駆動信号のストラテジ波形を整形するスナバ回路を備え、
前記スナバ回路は、抵抗とコンデンサとが直列に接続され、前記抵抗の抵抗値がそれぞれ異なり、前記コンデンサの容量値がそれぞれ異なる複数のＲＣ直列回路と、前記複数のＲＣ直列回路を前記組み合わせに基づいて切り替える切替手段と、を備え、
前記複数のＲＣ直列回路は、前記レーザ発光素子に対して前記切替手段を介してそれぞれ並列に接続されていることを特徴とするレーザ発光素子駆動制御回路。
【００１２】
（２）複数種類の光ディスクのそれぞれに対して１倍速から高倍速に至る間の少なくとも一の倍速を用いて最適記録が可能な光ディスク装置であって、
前記光ディスクに向けてレーザ光を出射するレーザ発光素子、前記レーザ発光素子にレーザ駆動信号を供給する駆動回路、前記レーザ発光素子と前記駆動回路との間に接続され、前記レーザ発光素子に供給される前記レーザ駆動信号のストラテジ波形を整形するスナバ回路、及び前記光ディスクからの戻り光を受光して再生信号を生成する受光素子を有する光ピックアップと、
前記再生信号に基づいて前記光ディスクの種類を判別し、かつ予め設定されている１倍速から高倍速に至る間の一の倍速を判別し、判別した倍速に係る記録パワー情報、判別した倍速に係るストラテジ情報、及び判別した光ディスクの種類及び倍速に係るオーバーシュート波形情報を、前記駆動回路へ出力する信号制御部と、
を備え、
前記駆動回路は、前記記録パワー情報、前記ストラテジ情報、及び前記オーバーシュート波形情報の組み合わせに基づいて前記レーザ駆動信号及び制御信号を生成し、
前記スナバ回路は、抵抗とコンデンサとが直列に接続され、前記抵抗の抵抗値がそれぞれ異なり、前記コンデンサの容量値がそれぞれ異なる複数のＲＣ直列回路と、前記複数のＲＣ直列回路を前記制御信号に基づいて切り替える切替手段と、を備え、
前記複数のＲＣ直列回路は、前記レーザ発光素子に対して前記切替手段を介してそれぞれ並列に接続されていることを特徴とする光ディスク装置。
【００１３】
（３）外部から供給される、記録パワーに関する情報と、ストラテジ情報と、複数種類の光ディスクのそれぞれに対して１倍速から高倍速に至る間の少なくとも一の倍速に対応づけたオーバーシュート波形に関する情報との組み合わせに基づいて生成されたレーザ駆動信号をレーザ発光素子に供給して、前記複数種類の光ディスクのそれぞれに対して最適な倍速記録を可能とするレーザ発光素子駆動制御方法であって、
前記組み合わせに基づいて前記レーザ駆動信号及び制御信号を生成するステップと、
前記制御信号に基づいて、抵抗とコンデンサとが直列に接続され、前記抵抗の抵抗値がそれぞれ異なり、前記コンデンサの容量値がそれぞれ異なる複数のＲＣ直列回路から一のＲＣ直列回路を選択するステップと、
前記選択されたＲＣ直列回路で前記レーザ駆動信号のストラテジ波形を整形するステップと、
前記整形されたストラテジ波形を有するレーザ駆動信号を前記レーザ発光素子に供給するステップと、
を有することを特徴とするレーザ発光素子駆動制御方法。
【発明の効果】
【００１５】
上記した構成を有する本発明は、追記型あるいは繰り返し記録型光ディスクの記録層（膜）を形成する材質・組成の相違や記録領域の相違、これに伴うレーザ発光素子に供給するパワーの相違、ストラテジの相違、１倍速から高倍速に至る複数の倍速のうちから択一した倍速の組み合わせに応じて、予めこの記録形態を例えば駆動回路内にセットしておき、このセットしておいた中から、現状必要な記録形態を選択して、選択した記録形態に対応して、レーザ発光素子に供給されるレーザ駆動信号波形の立ち上がり時に発生するオーバーシュート波形（オーバーシュートのピークレベル）を一義的に設定することにより、いずれの記録形態においても高精度で高品質な記録が可能な最適記録を実現することができるレーザ発光素子駆動制御回路、光ディスク装置、レーザ発光素子駆動制御方法を提供することができる。
【発明を実施するための最良の形態】
【００１６】
以下、本発明の実施の形態を図面を参照して説明する。但し、以下の実施の形態に記載されている構成要素の相対配置や表示図面等は、特に決定的な記載がない限り、本発明の範囲をそれらのみに限定するものではない。
【００１７】
〔第１実施形態〕
（全体構成）
図１は本発明の光ディスク装置の第１実施形態の主要部を示すブロック図である。図１に示すように、光ディスク装置は、ピックアップ３、フロントエンド１２を備えている。
【００１８】
光ディスク１は、ＤＶＤ−Ｒ(Digital Versatile Disc-Recordable)，ＤＶＤ−ＲＷ(Digital Versatile Disc-Rewritable)，ＤＶＤ−ＲＡＭ(Digital Versatile Disc-RAM)やＣＤ(Compact Disc)等の光ディスクである。
【００１９】
ピックアップ３は、記録、再生時に光ディスク１にレーザ光を照射するレーザ発光素子ＬＤと、レーザ光を照射した光ディスク１からの反射光を受光するフォトディテクタＰＤと、スナバ回路４と、駆動回路５とを有している。
【００２０】
駆動回路５はオーバーシュート調整回路１８を備えている。上記した構成のピックアップ３は光ディスク１に対してレーザ光を照射してデータを記録した後、記録されたデータを光学的に読み出してフォトディテクタＰＤにて受光してＲＦ再生出力を外部へ出力する。
【００２１】
信号処理部７は、ピックアップ３から出力されたＲＦ再生信号から再生データを生成するとともに、ディスク判別信号を生成して信号制御部１３に出力する。信号制御部１３は、ディスク判別制御部９と倍速判別制御部１１とを有している。
【００２２】
特に、ディスク判別制御部９は、信号処理部７から供給されるディスク判別信号に基づいて当該光ディスクの種類を判別し、倍速判別制御部１１は、ホストコンピュータ１５により予め設定されている１倍速から高倍速に至る間の１つの倍速を判別する。
【００２３】
倍速判別制御部１１により判別した倍速に係る記録パワーに関するパワーデータと、判別した倍速に係るストラテジデータと、判別した倍速に係るオーバーシュート波形に関するオーバーシュート制御データとを、駆動回路５に出力する。
【００２４】
上述した駆動回路５は、信号制御部１３から入力される、記録パワーに関するパワーデータと、ストラテジデータと、複数種類の光ディスクのそれぞれに対して１倍速から高倍速に至る間の少なくとも１の倍速に対応づけたオーバーシュート波形に関するオーバーシュート制御データとの組み合わせに基づいて、スナバ回路又はカレントミラー回路に対して制御信号を出力し、上述した組み合わせに基づいて生成したレーザ駆動信号を、レーザ発光素子ＬＤに供給して、複数種類の光ディスクのそれぞれに対して最適な倍速記録を可能とするようにレーザ発光素子ＬＤを駆動する。
【００２５】
（全体の基本的な作用）
次に、本実施形態のディスク装置の作用を図２に示すフローチャートを参照して説明する。
【００２６】
（１）  光ディスクの種類により制御する場合
DVD−R,RW,RAMの光ディスクの記録ストラテジ波形の違いにより、オーバーシュートレベルも異なる。また、DVD-Rでは波形のオーバーシュートが大きくても立上り時間が早い方を優先したほうが記録品質が良くなる。これに対して、ＤＶＤ−RWやＤＶＤ−RAMなど相変化型書き換えメディアでは、オーバーシュートが大きいと消去時に書き込まれたデータが消えないという弊害が生じる。そのため、それぞれのメディアに最適な駆動回路を選択すればよい。
【００２７】
（２）  記録倍速により制御する場合
倍速数（例えば１６倍速等）に応じて記録パワーのオーバーシュート量の影響が異なってくる。つまり、高倍速（例えば１６倍速等）の場合はハイパワー出力なため全体の記録パワーに対するオーバーシュートの影響度は少ないが、低倍速時（例えば１倍速等）は高倍速時に比べて記録パワーが低いので、オーバーシュートの影響(割合)が大きくなり、ＤＶＤ−ＲＷやＤＶＤ−ＲＡＭなどでは記録品質に悪影響を与える。そこで、低倍速時と高倍速時でオーバーシュートの調整が必要になる。そのため記録速度に応じた最適なスナバ回路４を選択すればよい。
【００２８】
次に、本実施形態のディスク装置の作用を図２に示すフローチャートを参照して説明する。
【００２９】
まず、ステップＳ１０では、レーザ発光素子ＬＤにレーザ光を発光させて光ディスク１にレーザ光を照射する。そして、ピックアップ３に設けられたフォトダイオードＰＤにより光ディスク１から光信号を読み出す。
【００３０】
次いで、ステップＳ２０では、この光信号を受光したフォトダイオードＰＤに流れる電流信号を抵抗に流して再生信号に変換して信号処理部７に出力し、信号処理部７によりフォーカスエラー、ＲＦ信号レベル、反射率を検出する。
【００３１】
次いで、ステップＳ３０では、信号処理部７により検出されたフォーカスエラー、ＲＦ信号レベル、反射率を信号制御部１３に出力し、ディスク判別制御部９にてディスク種類を判別する。
【００３２】
次いで、ステップＳ４０では、フォーカス、トラッキングサーボをＯＮしてディスクのコントロールデータを読む。次いで、ステップＳ５０では、ディスク情報（ストラテジデータ、パワーデータ）をホストコンピュータ１５（バックエンド）にフィードバックする。次いで、ステップＳ６０では、ホストコンピュータ１５はメディア毎の記録速度データを信号制御部１３に転送する。
【００３３】
次いで、ステップＳ７０では、信号制御部１３はディスク判別データ及び記録速度データをデコードして判別した倍速に係るオーバーシュート制御データを生成し、ステップＳ８０では、判別した倍速に係るストラテジデータ、判別した倍速に係る記録パワーに関するパワーデータなどの制御信号に加え、オーバーシュート制御データを駆動回路５に出力してオーバーシュート調整回路１８を制御する。
【００３４】
さらに、スナバ回路４又はカレントミラー回路に対して制御信号を出力し、上述したストラテジデータ、パワーデータ、オーバーシュート制御データの組み合わせに基づいて生成したレーザ駆動信号を、レーザ発光素子ＬＤに供給して、複数種類の光ディスクのそれぞれに対して最適な倍速記録を可能とするようにレーザ発光素子ＬＤを駆動する。
【００３５】
（全体の詳細な作用）
次に、本実施形態のディスク装置の詳細な作用を説明する。
【００３６】
レーザ光を光ディスク１の記録面に集光して記録を行うとき、レーザ駆動信号であるパルス信号列でレーザ光を発光させると、駆動回路５とレーザ発光素子ＬＤ間の回路線路上に存在する寄生インダクタンス成分と浮遊容量成分により、レーザ駆動信号の波形の立ち上がり時にオーバーシュートやリンギングが発生する。
【００３７】
このため、一般的には、スナバ回路により高周波成分を吸収する対策がなされていることは既述したとおりであるが、しかしながら、オーバーシュートやリンギングのレベルは、追記型あるいは繰り返し記録型光ディスクの記録層（膜）を形成する材質・組成の相違や記録領域の相違、これに伴うレーザ発光素子に供給するパワーの相違、高倍速から低倍速にいたる広い倍速範囲内で設定可能な１の倍速記録の速度（光ディスクの回転速度）など多種多様な組み合わせである記録形態のそれぞれに応じて、異なっており、単一の時定数を有するスナバ回路を用いるだけでは、各条件によってスナバ回路の特性が最適な状態ではなくなり、図４に示すようにオーバーシュートやリンギングを効果的に発生させたり抑制させたりすることができなかった。
【００３８】
図３（Ａ），（Ｂ），（Ｃ）は光ディスク１の種類（ＤＶＤ−Ｒ，ＤＶＤ−ＲＷ，ＤＶＤ−ＲＡＭ）の違いによる記録レーザ光発光波形の違いを示す波形図である。ＤＶＤ−Ｒは、記録膜として有機色素膜を使用した追記型の光ディスクであり、ＤＶＤ−ＲＷ、ＤＶＤ−ＲＡＭはそれぞれ相変化型の光ディスクであるが、ＤＶＤ−ＲＷはグループ記録、ＤＶＤ−ＲＡＭはランドグループ記録であり、記録すべき領域が相違している。
【００３９】
このため、ＤＶＤ−Ｒ，ＤＶＤ−ＲＷ，ＤＶＤ−ＲＡＭはそれぞれ、マークを記録する（高倍速記録）時のマーク形成時に生じる熱分布を制御する方法が異なり、図３（Ａ），（Ｂ），（Ｃ）に示す最適な記録発光波形がそれぞれ異なっている。
【００４０】
すなわち、図３（Ａ）に示すＤＶＤ−Ｒ時の最適な発光波形では、マークを記録する時にレーザパワー（記録ストラテジ波形）を再生レベルから記録レベルへ大きく瞬時に立ち上げているから、レベル変動が大きくなる。この結果、ＤＶＤ−Ｒ時のオーバーシュートのピークレベルはＤＶＤ−ＲＷ時，ＤＶＤ−ＲＡＭ時の各オーバーシュートのピークレベルに比べて最も高くなり、リンギングの変動幅も最も大きい特徴がある。そして、レーザ発光素子ＬＤからＤＶＤ−Ｒ記録膜にレーザ光を照射した場合の反射率は、６０％以上の値である。
【００４１】
図３（Ｂ）に示すＤＶＤ−ＲＷ時の最適な発光波形では、マークを記録する時にレーザパワーをまず再生レベルから消去レベルへ立ち上げた後にこの消去レベルから記録レベルまで瞬時に立ち上げているから、記録レベルまでのレベル変動がＤＶＤ−Ｒ時の変動よりも小となる。
【００４２】
この結果、ＤＶＤ−ＲＷ時のオーバーシュートのピークレベルはＤＶＤ−Ｒ時のオーバーシュートのピークレベルに比べて少し低くＤＶＤ−ＲＡＭ時のそれと同様なレベルとなり、またリンギングもＤＶＤ−Ｒ時と同様の変動幅であるがＤＶＤ−ＲＡＭ時のそれよりは大きい特徴がある。そして、レーザ発光素子ＬＤからＤＶＤ−ＲＷ記録膜にレーザ光を照射した場合の反射率は、１８％を超えて３０％以下の値である。
【００４３】
図３（Ｃ）に示すＤＶＤ−ＲＡＭ時の発光波形では、マークを記録する時にレーザパワーをまず再生レベルから消去レベルへ立ち上げた後に、この消去レベルから記録レベルまで立ち上げている。このため、ＤＶＤ−ＲＡＭ時のオーバーシュートのピークレベルはＤＶＤ−ＲＷ時のオーバーシュートのピークレベルと同様であるが、オーバーシュートのピークレベルと記録レベルまでの変動幅はＤＶＤ−ＲＷ時に比べて小となる特徴がある。そして、レーザ発光素子ＬＤからＤＶＤ−ＲＡＭ記録膜にレーザ光を照射した場合の反射率は、１５％〜２５％の値である。
【００４４】
そこで、本実施形態では、図４に示すように光ディスクの種類やレーザ発光素子の種類、記録速度の多様化によるそれぞれの場合にも、後述する図１６の（Ａ），図１７の（Ａ），図１８の（Ａ）に示す最適な記録発光波形を形成するオーバーシュート波形やリンギング波形を得ることが出来るように、図４におけるコンデンサＣとインダクタンスＬによりオーバーシュートを形成したり、ダンピングさせたりするように波形を制御することができるものである。
【００４５】
具体的には、レーザ発光素子ＬＤと並列に接続可能な複数のスナバ回路１９ａ，１９ｂ，１９ｃを設け、それぞれのケースでオーバーシュートレベルやリンギングを効果的に制御するため、複数のスナバ回路１９ａ，１９ｂ，１９ｃを制御信号により選択スイッチＳＷ０，ＳＷ１，ＳＷ２で切り換えて用いることができるように構成したものである。これにより、複数のスナバ回路１９ａ，１９ｂ，１９ｃのいずれかを介して駆動回路５からレーザ発光素子ＬＤに供給する記録ストラテジ波形を、図３に示した最適な記録発光波形に波形整形することができるので、高精度な記録品質で記録を行うことが可能になる。因みに、再生の際には、駆動回路５からレーザ発光素子ＬＤに供給するレーザ駆動信号はＨＦＭ信号を印加するのでスナバ回路１９ａ，１９ｂ，１９ｃを介さずにスルー供給しても良い。
【００４６】
次に、光ディスク１の種類により制御する場合について具体的に説明する。
【００４７】
ＤＶＤ−Ｒ，ＤＶＤ−ＲＷ，ＤＶＤ−ＲＡＭ等の光ディスク１における記録ストラテジ波形の違い（図３（Ａ）〜（Ｃ））により、オーバーシュートのピークレベルも異なる。また、ＤＶＤ−Ｒでは波形のオーバーシュートのピークレベルが大きくても立ち上がり時間が早い方を優先すると記録品質が良くなるのに対し、ＤＶＤ−ＲＷやＤＶＤ−ＲＡＭなど相変化型書き換えメディアでは、ＤＶＤ−Ｒのようにオーバーシュートのピークレベルが高いと消去時に書き込まれたデータが消えないという弊害が生じる。そのため、それぞれの光ディスク1に最適なスナバ回路を複数のスナバ回路１９ａ，１９ｂ，１９ｃから選択することが必要である。
【００４８】
すなわち、図１に示すように、本記録に先立ち試し書きをした光ディスク１から読み出した光信号をピックアップ３上に設けられたフォトダイオードＰＤで電気信号に変換し、信号処理部７の電気回路によりこの再生信号からフォーカスエラー、ＲＦ信号レベルを検出してディスク判別制御部９に出力し、ディスク判別制御部９では信号処理部７により入力された再生信号からディスク判別データを生成する。
【００４９】
次に、光ディスク１への記録倍速により制御する場合について具体的に説明する。
【００５０】
ホストコンピュータ１３から出力された記録倍速に応じた速度制御信号を受け付けた信号制御部１３では、高倍速記録（例えば８倍速、１２倍速、１６倍速など）か、低倍速記録（例えば２倍速、４倍速、６倍速など）かにより記録パワーのオーバーシュート量（オーバーシュートのピークレベル）の影響が異なってくる。
【００５１】
つまり、高倍速の場合は、ハイパワー出力であるため全体の記録パワーに対するオーバーシュート影響度は比較的少ないが、低倍速時は高倍速時に比べ記録パワーが低いので、オーバーシュートの影響が大きくなり、記録品質に大きく悪影響を与える。よって、低倍速時は、高倍速時よりもオーバーシュートを軽減させなくてはならない。そのため、本実施形態では、複数のスナバ回路１９ａ，１９ｂ，１９ｃから記録速度に応じた最適なスナバ回路を選択するようにしている。
【００５２】
すなわち、図１に示すように光ディスク１から読み出した光信号をピックアップ３上に設けられたフォトダイオードＰＤで電気信号に変換されて再生され、信号処理部７の電気回路によりこの再生信号からフォーカスエラー、ＲＦ信号レベルを検出してディスク判別制御部９に出力し、ディスク判別制御部９では信号処理部７により入力された再生信号からディスク判別データを生成する。また、ホストコンピュータ１３から入力される倍速に係る速度制御信号が倍速判別制御部１１に入力され、ディスク判別データに示される倍速を上限として速度制御信号から記録速度データが生成される。
【００５３】
さらに、このディスク判別データ及び記録速度データを倍速判別制御部９でオーバーシュート制御データの形式にデコードし、ピックアップ３に設けられたオーバーシュート調整回路１８を制御するようにしている。
【００５４】
このように本実施形態によれば、記録速度の多様化や、記録媒体の種類、レーザ発光素子の種類に応じて、オーバーシュートレベルやリンギングレベルは多種多様であるが、それぞれのケースにおいて個別にスナバ回路１９ａ，１９ｂ，１９ｃの切換を制御することができるので、各条件においてより高精度な記録品質で記録を行うことが可能になる。
【００５５】
（具体的構成）
次に、光ディスク１の種類により制御する場合の構成を図５に基づいてさらに具体的に説明する。
【００５６】
図５は第１実施形態における光ディスク装置の回路図である。なお、図５の構成は、制御データをシリアル転送するシリアルタイプの駆動回路５を使用した場合であり、スナバ回路を切り換えるための制御信号を駆動回路５に入力されるストラテジデータ、パワーデータ、オーバーシュート制御データを用いて生成するようにしている。
【００５７】
図５に示すように、シリアル転送タイプの場合には、記録媒体、レーザ発光素子ＬＤ、記録速度の判別信号を信号制御部１３において、ストラテジデータ、パワーデータと別に、オーバーシュート制御データを形成し、これらを駆動回路５内部に設けたレジスタ（図示しない）にシリアル転送し、そのレジスタ値に対応した制御信号レベルをデコードしてレーザ駆動信号を得るようにしている。また、フロントエンド１２に設けられた信号制御部１３からは、本来の信号であるＳＣＬＫ（シリアルクロック）信号、ストラテジデータ、パワーデータと別に、オーバーシュート制御データを駆動回路５のオーバーシュート調整回路１８に転送する。そして、スナバ回路１９ａ，１９ｂ，１９ｃを選択する選択手段としてのスイッチＳＷ０，ＳＷ１，ＳＷ２を制御する。
【００５８】
（具体的作用）
図５に示すように、シリアル転送タイプの駆動回路５の場合、駆動回路５内にレジスタ（図示しない）を備えている。信号制御部１３は、ストラテジデータ、パワーデータ、オーバーシュート制御データを駆動回路５に出力する。そのレジスタに、記録媒体、レーザ発光素子、記録速度の判別データを格納するアドレスを確保し、シリアルデータとしてシリアルクロックＳＣＬＫとともに転送する。
【００５９】
レジスタ１７に転送されたシリアルデータを、予め決められた制御信号レベルに対応させるデコード処理を行い、レーザ制御信号をＬＤ信号線Ａを介してレーザ発光素子ＬＤに出力する。
【００６０】
例えば、シリアルデータが０００（ＤＶＤ−Ｒに対応）のとき５Ｖ、００１（ＤＶＤ−ＲＷに対応）のとき３Ｖ、という形にデコード処理して、制御信号を出力する。なお、シリアルデータが０１０の場合はＤＶＤ−ＲＡＭに対応し、０１１の場合は１６倍速（×１６＿Ｒ）に対応している。
【００６１】
したがって、図５では、フロントエンド１２に設けられた信号制御部１３から本来の信号であるＳＣＬＫ信号、ストラテジ・パワーデータとは別に、オーバーシュート制御データを駆動回路５のオーバーシュート調整回路１８に転送して保持させ、スナバ回路１９ａ，１９ｂ，１９ｃを選択する選択手段としてのスイッチＳＷ０，ＳＷ１，ＳＷ２を制御する。なお、スイッチＳＷ０，ＳＷ１，ＳＷ２は、オーバーシュート調整回路１８から出力される制御データがHighレベルのとき接点をＯＮし、LowレベルのときＯＦＦするようになっていることとする。
【００６２】
このように本実施例によれば、新たに信号ラインを増やすことなく、駆動回路５に入力している信号を用いて、スナバ回路を選択する制御信号を得ることができる。
【００６３】
〔第２実施形態〕
図６は本発明の第２実施形態における光ディスク装置を示す回路図、図７は第２実施形態においてＷ１〜Ｗ３端子のEnable端子による使い分けを示す説明図である。なお、以下の各実施例では、前記実施形態と同一または対応する部分に同一の符号を用いて説明する。
【００６４】
第２実施形態では、制御データをパラレル転送するコンベンショナルタイプの駆動回路を使用した場合であり、スナバ回路を切り換えるための制御信号を駆動回路の入力制御信号を用いて生成するようにしている。
【００６５】
次に、本実施形態の作用を説明する。
【００６６】
図６に示すように、駆動回路５におけるWrite１〜３（Ｗ１〜３）は、本来記録パルスの端子であるが、駆動回路５のEnable端子をLowレベルに設定し、駆動回路５が動作しないようにした後、記録パルスが出ないようにしてオーバーシュート制御データの入力端子として兼用する。
【００６７】
そして、フロントエンド１２に設けられた信号制御部１３は、Ｗ１〜Ｗ３端子にオーバーシュート制御データを出力し、ＯＳＣＥＮ端子（本来は高周波重畳スイッチ）にLow からHighレベルとなる単パルスを加える。この時、インバータＩＮＶ１の出力端子からHighレベルのEnable信号がＤラッチ回路２１〜２３のEnable端子に入力されると有効になり、Ｄラッチ回路２１〜２３に入力されているオーバーシュート制御データのそれぞれのBitデータがラッチされて保持されスイッチＳＷ０，ＳＷ１，ＳＷ２に送られる。
【００６８】
さらに、信号制御部１３は、駆動回路５のEnable端子をHighレベルにすると、Dラッチ回路２１〜２３の入力が無効になり、駆動回路５に送られているＷ１〜Ｗ３のみが有効になり、Ｗ１〜Ｗ３端子は本来の記録パルス出力端子として用いることができる。
【００６９】
したがって、本実施形態は、フロントエンド１２に設けられた信号制御部１３から本来の信号とは別に、記録前の端子に入力される信号が無いときに、Enable端子をLowにし、Ｗ１〜Ｗ３端子を用いてオーバーシュート制御データをＤラッチ回路２１〜２３でラッチして保持し、スイッチＳＷ０，ＳＷ１，ＳＷ２を制御するようにしてスナバ回路１９ａ，１９ｂ，１９ｃを選択することができる。各動作についてまとめると、図７に示すようになる。
【００７０】
このように本実施例によれば、新たに信号ラインを増やすことなく、駆動回路５に入力している信号を用いて制御信号を得ることができる。
【００７１】
〔第３実施形態〕
図８は本発明の第３実施形態における光ディスク装置を示す回路図、図９は第３実施形態において制御信号電圧とＯＮすべきスイッチとの関係を示す説明図である。すなわち、図８では複数値制御でのスナバ回路切換回路の一例として、１本のオーバーシュート制御信号Bを用いて３値制御によりスナバ回路を切り換える回路を示している。
【００７２】
図８において、記録媒体の種類やレーザの種類、記録速度の違いにより、記録パワーに関するパワーデータと、ストラテジデータと、複数種類の光ディスクのそれぞれに対して１倍速から高倍速に至る間の少なくとも１の倍速に対応づけたオーバーシュート波形に関する情報との組み合わせに基づいて生成したオーバーシュート制御データを、フロントエンド１２に設けられた信号制御部１３のＤ／Ａ変換器２５に入力してアナログ信号に変換させ、Ｄ／Ａ変換器２５より出力されるオーバーシュート制御信号Ｂを２つのコンパレータＣｏｍｐ１，Ｃｏｍｐ２の＋入力端子に入力される。
【００７３】
図９に示すように、オーバーシュート制御信号Ｂがminレベル〜レベル１の間にある時には、スイッチＳＷ０のみがＯＮし、オーバーシュート制御信号Ｂがレベル１〜レベル２の間にある時には、スイッチＳＷ１のみがＯＮし、オーバーシュート制御信号Ｂがレベル２〜maxレベルの間にある時には、スイッチＳＷ２のみがＯＮするように対応させ、スナバ回路１９ａ，１９ｂ，１９ｃから制御信号によって常に１つだけのスナバ回路を選択できるようにしている。
【００７４】
オーバーシュート制御信号Ｂがminレベル〜レベル１の間にある場合には、図８に示す２つのコンパレータＣｏｍｐ１，Ｃｏｍｐ２でレベル１、レベル２の電圧と比較され、それぞれLowレベルが出力され、ＡＮＤ３の出力のみがHighレベルになることでスイッチＳＷ０のみＯＮとなり、スナバ回路１９ａが選択されてレーザ発光素子に並列に接続される。
【００７５】
オーバーシュート制御信号Ｂがレベル１〜レベル２の場合、レベル２〜maxレベルの場合も同様に、レベル１、レベル２の電圧でコンパレートされ、その出力に応じて、それぞれスイッチＳＷ１、ＳＷ２のみＯＮとなり、ただ１つのスナバ回路１９ｂまたは１９ｃが選択される。
【００７６】
したがって、本実施形態は、フロントエンド１２に設けられた信号制御部１３のＤ／Ａ変換器２５によりＤ／Ａ変換する場合、オーバーシュート制御信号Ｂがminレベル〜レベル１の間にある時には、スイッチＳＷ０のみがＯＮし、オーバーシュート制御信号Ｂがレベル１〜レベル２の間にある時には、スイッチＳＷ１のみがＯＮし、オーバーシュート制御信号Ｂがレベル２〜maxレベルの間にある時には、スイッチＳＷ２のみがＯＮするように対応させ、オーバーシュート制御信号Ｂによって常に１つだけのスナバ回路を選択できるようにしている。
【００７７】
このように本実施形態によれば、多値制御信号により記録媒体の種類やレーザ発光素子の種類、記録速度の違いにより、複数のオーバーシュート制御用のスナバ回路１９ａ，１９ｂ，１９ｃを複数値制御ラインにより切り換えることができる。
【００７８】
〔第４実施形態〕
図１０は本発明の第４実施形態における光ディスク装置を示す回路図である。図１０では、図８と同様に複数値制御を用いてスナバ回路を切換る一例として、フロントエンド側から直接デジタルデータを送り３値制御によりスナバ回路を切り換える回路を示している。
【００７９】
図１０において、第４実施形態では、記録媒体の種類やレーザの種類、記録速度の違いにより、駆動回路５に設けられたＤ／Ａ変換器２７からスナバ回路１９ａ，１９ｂ，１９ｃを選択させる３レベルのオーバーシュート制御信号Ｂが２つのコンパレータＣｏｍｐ１，Ｃｏｍｐ２の＋入力端子に入力される。その他の構成及び作用は、前記第３実施形態と同様であるので、その説明を省略する。
【００８０】
〔第５実施形態〕
図１１は本発明の第５実施形態における光ディスク装置を示す回路図で、フロントエンド側からのオーバーシュート制御信号を駆動回路でＤ／Ａする方式である。図１２は第５実施形態においてオーバーシュート制御電圧Ｂがベース入力電圧として入力された場合のトランジスタのＯＮ抵抗特性を示す図である。
【００８１】
図１１に示すように、本実施形態は、コンデンサＣ４とトランジスタＴｒのエミッタｅ−コレクタｃを直列接続し、かつ、コンデンサＣ４の一端とエミッタｅとにコンデンサＣを並列接続してなるスナバ回路１９を、レーザ発光素子ＬＤと並列に接続しておき、光ディスク１からの反射光を受光し、反射率およびディスクデータに基づいて、光ディスク１の種類を判別し、この判別された種別結果に応じたオーバーシュート制御信号Ｂの電圧を抵抗Ｒを介してスナバ回路１９に設けられたトランジスタＴｒのベースｂにＤ／Ａ変換器２９から印加するようにしている。そして、駆動回路５でＤ／Ａ変換する場合、本来の制御ラインに加え、オーバーシュート制御データをフロントエンド１２に設けられた信号制御部１３から駆動回路５に設けられたＤ／Ａ変換器２９に転送している。
【００８２】
すなわち、図１１では、複数値制御でのスナバ回路の切換回路の一例として、オーバーシュート制御信号Ｂを抵抗Ｒを介してトランジスタＴｒのベースｂに入力することでインピーダンスを可変してスナバ回路の特性を制御する回路を示している。
【００８３】
図１１において、記録媒体の種類やレーザ発光素子の種類、記録速度の違いにより、スナバ回路１９の特性を変化させるために、Ｄ／Ａ変換器２９から出力されるオーバーシュート制御信号Ｂが抵抗Ｒを介してトランジスタＴｒのベースｂに入力される。このオーバーシュート制御信号Ｂは、図８または図１０に示した信号制御部に設けられたＤ／Ａ変換器２５，２７から出力されるオーバーシュート制御信号Ｂである。
【００８４】
図１２に示すように、オーバーシュート制御信号Ｂの電圧を変化させることにより、抵抗Ｒを介してトランジスタＴｒのベースｂ−エミッタｅ間を流れるベース電流が変化する。このベース電流が変化したことで、トランジスタＴｒのコレクタｃ−エミッタｅ間のＯＮ抵抗を変化させることができ、結果的にスナバ回路１９の抵抗成分を可変することができる。
【００８５】
このように本実施形態によれば、オーバーシュート制御信号Ｂを用いてスナバ回路１９の特性を変化させることにより、記録媒体の種類やレーザ発光素子の種類、記録速度の違う場合でも、オーバーシュートやリンギングを抑制することができ、各条件においてより高精度な記録品質で記録を行うことが可能になる。
【００８６】
〔第６実施形態〕
図１３は本発明の第６実施形態における光ディスク装置を示す回路図である。図１３において、記録媒体の種類やレーザの種類、記録速度の違いにより、フロントエンド１２に設けられた信号制御部１３のＤ／Ａ変換器３１からスナバ回路１９の特性を変化させるためにオーバーシュート制御信号Ｂが入力される。
【００８７】
すなわち、本実施形態のようにフロントエンド１２に設けられた信号制御部１３のＤ／Ａ変換器３１によりＤ／Ａ変換する場合、フロントエンド１２から直接トランジスタＴｒのベース抵抗Ｒにオーバーシュート制御信号Ｂを入力し、トランジスタＴｒのコレクタｃ−エミッタｅ間のＯＮ抵抗を制御するようにしている。その他の構成及び作用は、前記第５実施形態と同様であるので、その説明を省略する。
【００８８】
〔第７実施形態〕
図１４は本発明の第６実施形態における光ディスク装置を示す回路図、図１５はレーザ駆動波形にオーバーシュートやリンギングが発生した状態を示す波形図である。なお、本実施形態では、図６に示す前記第２実施形態と同一または対応する部分に同一の符号を用いて説明する。
【００８９】
第７実施形態では、コンベンショナルタイプの駆動回路を使用した場合であり、１対のトランジスタからなる差動回路に対して時間差制御によりオーバーシュートの制御駆動を行うようにしている。
【００９０】
フロントエンド１２に設けられた信号制御部１３は、記録前の端子に入力される信号が無いときに、Enable端子をLowに設定し、オーバーシュート制御データをレーザ発光素子ＬＤの駆動回路５へ出力する。オーバーシュート調整回路１８では、信号制御部１３から入力されたオーバーシュート制御データがDラッチ２１，２２，２３に保持されこのデータに応じて光ディスクの再生または記録に適合する遅延量が遅延回路ＤＹａ，ＤＹｂ，ＤＹｃに設定される。
【００９１】
なお、例えば遅延回路ＤＹａは、Dラッチ２１にから出力されるデータがHighレベルのときには入力信号をｔ１だけ遅延して出力し、Lowレベルのときには入力信号をｔ２だけ遅延して出力するように構成されている。
【００９２】
また、信号制御部１３から出力されるストラテジデータ（Write Level）をDラッチ４３に保持されこのデータに応じて光ディスク１の再生または記録に適合する電流量をカレントミラー回路に設けられたＤ／Ａ変換器４５ａに設定される。
【００９３】
カレントミラー回路４１は、レーザ発光素子ＬＤと直列に接続し、送信データを２系統に分割して一方の送信データにのみ遅延回路ＤＹaを介在させてオンオフ動作し、他方の送信データに応じてオンオフ作動する１対のトランジスタＴｒ１３，１４からなる差動回路とともに、この１対のスイッチ素子に電流を供給するカレントミラー素子Ｔｒ１１，１２を複数有する。すなわち、カレントミラー回路４１は、Ｄラッチ２１，２２，２３にそれぞれラッチさせて保持したそれぞれのオーバーシュート制御データ、Ｄラッチ４３にそれぞれラッチさせて保持したそれぞれのストラテジデータＷ1set，Ｗ2set，Ｗ3setを入力してレーザ発光素子ＬＤを駆動するカレントミラー回路４１ａ，４１ｂ，４１ｃから構成されており、１つのレーザ発光素子ＬＤのカソードに対して、カレントミラー回路４１ａ，４１ｂ，４１ｃにそれぞれ設けられたトランジスタＴｒ１３のドレインｄが共通接続されている。
【００９４】
これらの駆動回路を代表してカレントミラー回路４１ａの構成について説明する。
【００９５】
図１４に示すように、カレントミラー回路４１ａの反転増幅器Ｇ１と増幅器Ｇ２との間に遅延回路DYaを設けている。ＮチャネルＭＯＳトランジスタＴｒ１２のドレインは、ＮチャネルＭＯＳトランジスタＴｒ１３、Ｔｒ１４のソースに共通接続され、これらトランジスタＴｒ１３、Ｔｒ１４は、ストラテジ波形Ｗ１を含む送信データＳＤによりスイッチングされるように構成している。なお、ＮチャネルＭＯＳトランジスタからなるトランジスタＴｒ１３、Ｔｒ１４は、送信データＳＤに応じて駆動電流のパスを切り換えるためのスイッチを構成し、線形領域で動作する。トランジスタＴｒ１１、Ｔｒ１２はＤ／Ａ変換器４５ａの出力電流をレーザ発光素子ＬＤの駆動に必要な電流に増幅するためのカレントミラー回路を構成している。
【００９６】
ここで、図１４に示すカレントミラー回路４１の動作を説明する。なお、説明の簡略化のためカレントミラー回路４１ａの動作に特化して説明する。
【００９７】
フロントエンド１２に設けられた信号制御部１３から出力されるストラテジデータＷ1setをＤラッチ４３にラッチさせて保持し、Ｄラッチ４３から出力されるデータをカレントミラー回路４１ａに設けられたそれぞれのＤ／Ａ変換器４５ａに設定する。なお、Ｄラッチ４３にラッチさせて保持する電流設定データＷ1setは複数Bitであり、Ｄ／Ａ変換器４５ａから出力されるアナログ電圧は所定の範囲で任意に設定できることはいうまでもない。
【００９８】
Ｄ／Ａ変換器４５ａでは、ストラテジデータ（電流値を決める電圧）ＥＤに対応した電圧が出力され、さらにこの電圧に対した設定電流ＩがトランジスタＴｒ１１のドレイン−ソース間に流れるので、この設定電流Ｉのミラー電流がＴｒ１２のドレイン−ソース間に流れる。
【００９９】
フロントエンド１２に設けられた信号制御部１３が、Enable端子をHighに設定し、このとき信号制御部１３から出力されるパワーデータW1が送信データＳＤとして増幅器Ｇ２と遅延器ＤＹａに入力されると、論理値により、トランジスタＴｒ１４またはＴｒ１３の片方どちらかが相互補完的にＯＮになる。
【０１００】
しかし、トランジスタＴｒ１３、Ｔｒ１４が切り替わる時、両方のトランジスタが高抵抗になる期間があり、トランジスタＴｒ１２が定電流を維持できなくなり、図１５に示すように、B点の電位が一時的に下がる。
【０１０１】
B点の電圧が元の電位になるまでの時間では、レーザ発光素子ＬＤとトランジスタＴｒ１３を介して、Ｂ点の寄生容量をチャージアップする電流が過渡的に流れる。
【０１０２】
この過渡電流が電流波形にとってオーバーシュートとなり光波形のオーバーシュートとして現れる。
【０１０３】
したがって、増幅器Ｇ２と反転増幅器Ｇ１との間に設けられた遅延回路DYａにより、遅延量を調節することによって、Ｂ点の電位が下がる時間を調整でき、オーバーシュートのレベルを調節できるようになる。
【０１０４】
遅延回路DYａの遅延時間ｔｄは、光ディスクの種類、記録速度の情報によって得られたオーバーシュート制御データによって制御される。フロントエンド１２に設けられた信号制御部１３から出力されるオーバーシュート制御データＷ１はＤラッチ２１に設定され、Ｄラッチ２１に設定されたオーバーシュート制御データＷ１が遅延回路DYａの遅延時間ｔｄに対応するので、最適なオーバーシュート量を設定でき、高品位な記録が可能になる。
【０１０５】
このように、記録速度の多様化や、記録媒体の種類、レーザ発光素子の種類に応じて、オーバーシュートレベルやリンギングレベルは多種多様であるものの、それぞれのケースにおいて個別にオーバーシュート時期やリンギング時期の変更が制御できるので、各条件においてより高精度な記録品質で記録を行うことが可能になる。
【０１０６】
（効果の説明）
次に、上述した各実施形態の全体の効果について説明する。図１６〜図１８はＤＶＤ−Ｒ，ＤＶＤ−ＲＷ，ＤＶＤ−ＲＡＭにおいて記録媒体毎にオーバーシュートを最適化した場合とオーバーシュートを最適化しない場合でのストラテジ波形を示している。
【０１０７】
図１６（Ａ）はＤＶＤ−Ｒにおいてオーバーシュートを最適化した場合を示し、ジッタ値が９％である。図１６（Ｂ）はオーバーシュートの最適化なしの場合を示し、ジッタ値が１３％である。図１６（Ａ）と図１６（Ｂ）を比較すると、図１６（Ａ）に示すようにオーバーシュートを持たせ、立ち上がり時間を速くすることにより、記録品位を向上させることができる。
【０１０８】
図１７（Ａ）はＤＶＤ−ＲＷにおいてオーバーシュートを最適化した場合を示し、図１７（Ｂ）はオーバーシュートの最適化なしの場合を示している。図１８（Ａ）はＤＶＤ−ＲＡＭにおいてオーバーシュートを最適化した場合を示し、図１７（Ｂ）はオーバーシュートの最適化なしの場合を示している。図１７（Ａ）及び図１８（Ａ）に示すように、オーバーシュートを最適化することにより、ディスク書き換え時の記録品位を向上させることができる。
【０１０９】
なお、オーバーシュートが大きい場合には、ディスク書き換え時にデータが残る等の不具合が発生するため、書き換え型の記録媒体の場合は、オーバーシュートを軽減させた方が書き換え時に記録品位の低下が少なく抑えられる。
【０１１０】
さらに、図１９に示すように、オーバーシュートを個別調整した場合には、個別調整しない場合と比較して繰り返し記録回数に対するジッタ値が抑えられ、繰り返し特性が向上したことが判る。
【０１１１】
このように各実施形態によれば、記録速度の多様化や、記録媒体の種類、レーザ発光素子の種類に応じて、オーバーシュートレベルやリンギングレベルは多種多様であるが、それぞれのケースにおいて個別にスナバ回路の切換または定数の変更が制御できるので、従来に比べ、各条件においてより高精度な記録品質で記録を行うことが可能になる。
【０１１２】
また、各実施形態によれば、スナバ回路を切り換えるための制御信号を、駆動回路５に入力されるパワーデータのバス線を時分割して利用することで、新たに信号ラインを増やすことなく、駆動回路５に入力している信号を用いて制御信号を得ることができ、回路規模の増加や回路変更に伴うコストの増加を抑えることができる。
【図面の簡単な説明】
【０１１３】
【図１】本発明の第１実施形態における光ディスク装置の全体構成を示すブロック図である。
【図２】本発明の第１実施形態の光ディスク装置の作用を説明するためのフローチャートである。
【図３】（Ａ），（Ｂ），（Ｃ）は記録媒体の種類による記録発光波形の違いを示す波形図である。
【図４】本実施形態の複数のスナバ回路を示す回路図である。
【図５】第１実施形態における光ディスク装置を示す回路図である。
【図６】本発明の第２実施形態における光ディスク装置を示す回路図である。
【図７】第２実施形態においてＷ１〜Ｗ３端子のEnable端子による使い分けを示す説明図である。
【図８】本発明の第３実施形態における光ディスク装置を示す回路図である。
【図９】第３実施形態において制御信号の電圧レベルとＯＮすべきスイッチとの関係を示す説明図である。
【図１０】本発明の第４実施形態における光ディスク装置を示す回路図である。
【図１１】本発明の第５実施形態における光ディスク装置を示す回路図である。
【図１２】第５実施形態において制御電圧Ｂに対するトランジスタのＯＮ抵抗特性を示す図である。
【図１３】本発明の第６実施形態における光ディスク装置を示す回路図である。
【図１４】本発明の第７実施形態における光ディスク装置を示す回路図である。
【図１５】レーザ駆動波形にオーバーシュートやリンギングが発生した状態を示す波形図である。
【図１６】（Ａ）はＤＶＤ−Ｒにおいてオーバーシュートを最適化した場合を示す波形図、（Ｂ）はオーバーシュートを最適化しない場合を示す波形図である。
【図１７】（Ａ）はＤＶＤ−ＲＷにおいてオーバーシュートを最適化した場合を示す波形図、（Ｂ）はオーバーシュートを最適化しない場合を示す波形図である。
【図１８】（Ａ）はＤＶＤ−ＲＡＭにおいてオーバーシュートを最適化した場合を示す波形図、（Ｂ）はオーバーシュートを最適化しない場合を示す波形図である。
【図１９】繰り返し記録回数に対するジッタ値を示す図である。
【符号の説明】
【０１１４】
１      光ディスク
３      ピックアップ
５、４１    駆動回路
７      信号処理部
９      ディスク判別制御部
１１    倍速判別制御部
１３    信号制御部
１５    ホストコンピュータ
１７    レジスタ
１９，１９ａ，１９ｂ，１９ｃ  スナバ回路
２９    Ｄ／Ａ変換器
４３    Ｄラッチ
４５    Ｄ／Ａ変換器
ＤＹａ  遅延回路
【図１】
0004587073.tif 000002
【図２】
0004587073.tif 000003
【図３】
0004587073.tif 000004
【図４】
0004587073.tif 000005
【図５】
0004587073.tif 000006
【図６】
0004587073.tif 000007
【図７】
0004587073.tif 000008
【図８】
0004587073.tif 000009
【図９】
0004587073.tif 000010
【図１０】
0004587073.tif 000011
【図１１】
0004587073.tif 000012
【図１２】
0004587073.tif 000013
【図１３】
0004587073.tif 000014
【図１４】
0004587073.tif 000015
【図１５】
0004587073.tif 000016
【図１６】
0004587073.tif 000017
【図１７】
0004587073.tif 000018
【図１８】
0004587073.tif 000019
【図１９】
0004587073.tif 000020